(57)【特許請求の範囲】
【請求項１】
遊技球を打ち出して遊技し得る遊技領域を形成する遊技盤と、該遊技盤が装着される枠部材と、前記遊技盤の先端側の部位を案内して前記遊技盤の前記枠部材への装着を補助する装着補助部と、前記枠部材に装着された前記遊技盤をロックする複数のロックユニットとを備え、該複数のロックユニットが、前記装着補助部として兼用される兼用ロックユニットを含み、前記兼用ロックユニットには、前記枠部材に装着される前記遊技盤の前記先端側の部位を向いて開口した誘い込み用空間部が形成されており、前記兼用ロックユニットは、前記遊技盤の前記先端側の部位を前記誘い込み用空間部に受け入れて前記遊技盤が前記枠部材に装着されるように案内することを特徴とする遊技機。
【請求項２】
前記複数のロックユニットは、前記遊技盤を前記枠部材にロックするロック位置とロック解除する解除位置とに切換え可能な非兼用ロックユニットを含んでいることを特徴とする請求項１に記載の遊技機。
【発明の詳細な説明】
【技術分野】
【０００１】
本発明は、パチンコ機等の遊技機に係り、詳しくは、遊技盤を枠部材にロックする構造を改善した遊技機に関するものである。
【背景技術】
【０００２】
一般に、遊技機、例えばパチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘（ゲージともいう。）や羽根車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機は、遊技領域が設けられた遊技盤や遊技球を遊技領域に発射する発射装置等の各種遊技部品を備えており、これらの遊技部品は、遊技機枠ユニットに装着される。例えば、遊技機枠ユニットは、パチンコ機の周囲を囲む外枠、その内側にヒンジによって前方開閉可能に揺動支持されて遊技盤を保持する中枠、及び該中枠の前方にヒンジによって前方開閉可能に揺動支持されガラス及びその周囲を装飾する装飾部材を保持するガラス枠等を備えた前枠、を有して構成される。該前枠に備えたガラス枠の後方には、遊技盤を遊技機本体に保持するための上記中枠が配置されており、この遊技盤の前面側には遊技球が流下する遊技領域が設けられている。遊技領域には、各種入賞装置やゲート等が配置されている。
【０００４】
このような従来のパチンコ機において、遊技盤を遊技機本体に保持するための遊技盤フックに、回動用の操作部分及び遊技盤に対する係脱用の施錠片を形成したものが提案されている。これによると、遊技盤フックを遊技盤の着脱方向側から容易に回動操作することが可能になっている（特許文献１参照）。
【０００５】
すなわち、特許文献１記載のパチンコ機では、前枠の開口面域裏側に合わせた保持枠が、遊技盤をセット開口域の前面側又は裏面側から着脱可能に保持し得るように構成され、該セット開口域周囲の所要部位に、遊技盤の着脱方向側で操作可能な施錠具を回動可能に嵌合して鉤部で支持する構成を備えている。該施錠具は、保持枠における４箇所の斜状隅角部に取り付けられるもので、回動用の操作部分と、遊技盤に対する係脱用の施錠片とを有している。上記セット開口域にセットされた遊技盤は、該施錠具を所要方向に回動させることで、該施錠具の施錠片によって係止される。
【０００６】
上記施錠具は、円筒状に形成された操作部分としての基部と、該基部に突出形成されてその先端に鉤部を有する係着部と、該基部から径方向に延出された施錠片とを一体的に有している。係着部には、鉤部の半径内方への弾性変形を許容するように、十字状のスリットが形成されている。
【０００７】
一方、各斜状隅角部の所要位置には、遊技盤の着脱方向側に向かって段階的に内径が大きくなる小径部及び大径部を有する支持孔が形成されており、該支持孔に係着部を挿通することで、上記施錠具を保持枠の斜状隅角部に装着することができる。つまり、円錐状の係着部の先端を支持孔に押し込むことで、鉤部を半径内方向に変形させて挿入を許容した後、大径部で鉤部が復元し、これにより、施錠具は保持枠から脱抜不能に装着される。そして４個の施錠具は、遊技盤の着脱方向である前側からの組付け操作と工具による回動操作とが可能に構成されると共に、全てが同一方向への回動で開錠と施錠を行い得るように構成される。また、鉤部に代えて、各斜状隅角部の所要位置に係着部をビスで回動可能に装着するように構成することも可能とされている。
【先行技術文献】
【特許文献】
【０００８】
【特許文献１】特開平９−２６２３５５号公報
【特許文献２】特開２００７−１９０２６４号公報
【発明の概要】
【発明が解決しようとする課題】
【０００９】
しかし、上記特許文献１記載の技術によると、遊技盤を遊技機本体に保持する施錠具を遊技盤の着脱方向側から組み付けて回動操作可能とすることはできるものの、鉤部を半径内方向に変形させて支持孔に装着した後は、施錠具を保持枠の斜状隅角部から取り外すことが困難であり、また、鉤部に代えて係着部をビスで装着した場合は、施錠具を取り外す際にいちいちビスをドライバー等で取り外すなどしなければならず、作業が煩雑であった。
【００１０】
更に、４個の施錠具は、全てが同一方向への回動で開錠と施錠を行い得るように構成されるため、通常の取り付け方向とは異なる方向（例えば上下逆）に装着してしまった場合には、施錠具を一旦取り外して再度装着するような作業が必要となり、作業が煩雑であった。
【００１１】
そこで本発明は、遊技盤を保持する構造を改善し、ロックユニットの着脱を簡単に行い得るように構成し、もって上記課題を解消し得る遊技機を提供することを目的とする。更に本発明は、上記目的を達成した上で、ロックユニットを通常の取り付け方向と異なる方向に装着しようとしてもそのことを直ちに認識し得るようにした遊技機を提供することを目的とする。
【００１２】
また、上記特許文献２記載の技術によると、「上側受け具３０」や「下側受け具３１」などの部品を付加する必要があり、部品点数や組立工数が大となっていた。
そこで本発明は、少ない部品点数や組立工数で遊技盤の装着補助を行い得る遊技機を提供することを目的とする。
【課題を解決するための手段】
【００１３】
請求項１に係る本発明は（例えば図１７ないし図３３参照）、遊技球（Ｂａ）を打ち出して遊技し得る遊技領域（ＰＡ）を形成する遊技盤（１０）と、該遊技盤（１０）が装着される枠部材（３０）と、前記遊技盤（１０）の先端側の部位（１０ｂ）を案内して前記遊技盤（１０）の前記枠部材（３０）への装着を補助する装着補助部（９９）と、前記枠部材（３０）に装着された前記遊技盤（１０）をロックする複数のロックユニット（５６，５６，５６ａ，５６ｂ）とを備え、該複数のロックユニット（５６，５６，５６ａ，５６ｂ）が、前記装着補助部（９９）として兼用される兼用ロックユニット（５６ａ，５６ｂ）を含み、前記兼用ロックユニット（５６ａ，５６ｂ）には、前記枠部材（３０）に装着される前記遊技盤（１０）の前記先端側の部位（１０ｂ）を向いて開口した誘い込み用空間部（９６ａ，９６ｂ）が形成されており、前記兼用ロックユニット（５６ａ，５６ｂ）は、前記遊技盤（１０）の前記先端側の部位（１０ｂ）を前記誘い込み用空間部（９６ａ，９６ｂ）に受け入れて前記遊技盤（１０）が前記枠部材（３０）に装着されるように案内することを特徴とする遊技機（ＰＭ２）にある。
【００１４】
請求項２に係る本発明は（例えば図２９，図３０参照）、前記複数のロックユニット（５６，５６，５６ａ，５６ｂ）は、前記遊技盤（１０）を前記枠部材（３０）にロックするロック位置とロック解除する解除位置とに切換え可能な非兼用ロックユニット（５６，５６）を含んでいることを特徴とする請求項１に記載の遊技機（ＰＭ２）にある。
【００１５】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１６】
本願発明によると、遊技盤の先端側の部位を案内して遊技盤の枠部材への装着を補助する装着補助部と、枠部材に装着された遊技盤をロックする複数のロックユニットとを備え、該複数のロックユニットが、装着補助部として兼用される兼用ロックユニットを含み、兼用ロックユニットには、枠部材に装着される遊技盤の先端側の部位を向いて開口した誘い込み用空間部が形成されており、兼用ロックユニットは、遊技盤の先端側の部位を誘い込み用空間部に受け入れて遊技盤が前記枠部材に装着されるように案内する。したがって、専用の装着補助部を別途製作して取り付ける必要がなく、部品点数や組立工数を削減できる。
【図面の簡単な説明】
【００１７】
【図１】本発明に係るパチンコ機の外部構造を示す正面図である。
【図２】本発明に係るパチンコ機の外部構造を示す斜視図である。
【図３】本パチンコ機の背面構造を示す背面図である。
【図４】本発明に係る第１実施形態における遊技盤を背面から見た状態で示す背面図である。
【図５】本実施形態における中枠をパチンコ機前側から見た状態で示す斜視図である。
【図６】本実施形態における中枠をパチンコ機後側から見た状態で示す斜視図である。
【図７】図６におけるロック部材及びその周辺を拡大して示す斜視図である。
【図８】図７における一方のロック部材及びその周辺を拡大して示す斜視図である。
【図９】本実施形態におけるロック部材のセット状態を透視して示す斜視図である。
【図１０】本実施形態におけるユニット装着部を拡大して示す斜視図である。
【図１１】（ａ）は本実施形態におけるロックユニットを拡大して示す斜視図、（ｂ）は（ａ）のロックユニットを別の角度から見た状態で示す斜視図である。
【図１２】（ａ）は軸部材を外した状態のロックユニットを示す斜視図、（ｂ）は（ａ）のロック部材を別の角度から見た状態で示す斜視図である。
【図１３】図５における中枠から露出した軸部材及びその周辺を示す斜視図である。
【図１４】図１３から軸部材を外した状態で示す斜視図である。
【図１５】（ａ）はロックユニットを分解した状態で示す分解斜視図、（ｂ）はロックユニットの受け部を示す正面図、（ｃ）は係合摘み部をやや回動させた状態を示す斜視図である。
【図１６】（ａ）は孔部の一端側開口部の縁部から軸部材を突出させた状態を示す斜視図、（ｂ）は（ａ）の状態を示す側面断面図、（ｃ）は（ａ）の孔部の一端側開口部の縁部に軸部材を押し込んだ状態を示す斜視図、（ｄ）は（ｃ）の状態を示す側面断面図、（ｅ）は（ｃ）の軸部材を９０゜回動させて係止溝部に係止した状態を示す斜視図、（ｆ）は（ｅ）の状態を示す側面断面図である。
【図１７】本発明に係る第２実施形態におけるロックユニットの軸部材を外した状態のロック部材を示す斜視図である。
【図１８】図１７におけるロック部材を別の角度から見た状態で示す斜視図である。
【図１９】図１７におけるロック部材を更に別の角度から見た状態で示す斜視図である。
【図２０】本実施形態におけるロック部材を中枠に装着する状態を軸部材を省略して示す斜視図である。
【図２１】本実施形態における右側の上部のロックユニットが遊技盤をロックした状態を示す斜視図である。
【図２２】図２１におけるロックユニット及びその周辺部を拡大して示す斜視図である。
【図２３】本実施形態における右側の下部のロックユニット及びその周辺部の遊技盤が装着される前の状態を示す斜視図である。
【図２４】下部のロックユニット及びその周辺部を示す背面図である。
【図２５】図２３の下部のロックユニット及びその周辺部を別の角度から見た状態で示す斜視図である。
【図２６】図２５の下部のロックユニットの内側に遊技盤が進入する状態を一部透視して示す斜視図である。
【図２７】本実施形態における上部のロックユニットの内側に遊技盤が進入した状態を示す斜視図である。
【図２８】上部のロックユニットの内側に更に遊技盤が進入した状態を示す斜視図である。
【図２９】遊技盤が中枠に保持された状態を示す斜視図である。
【図３０】遊技盤が中枠にロックされた状態を示す斜視図である。
【図３１】本実施形態におけるロック部材を概略的に示す側面図である。
【図３２】ロックユニットを分解した状態で示す分解斜視図である。
【図３３】遊技盤がロック部材によって案内される様子を示す説明図である。
【図３４】第２実施形態に係るロック部材の変形例を示す斜視図である。
【図３５】図３４のロック部材を用いたロックユニットを示す斜視図である。
【発明を実施するための形態】
【００１８】
（第１実施形態）
以下、本発明に係る遊技機の実施形態として、遊技場等に設置されるパチンコ機ＰＭを図面に沿って説明する。なお、本実施形態は、所謂第１種パチンコ機の機能を備えたパチンコ機を例に挙げて説明するが、本発明はこれに限らず、所謂第２種パチンコ機の機能を備えるパチンコ機（所謂、羽根モノ）などにも適用し得る。
【００１９】
本パチンコ機（遊技機）ＰＭは、遊技球Ｂａを打ち出して遊技し得る遊技領域ＰＡを形成する遊技盤１０と、該遊技盤１０を保持する中枠（枠部材）３０と、該中枠３０に設けられた孔部５９と、該孔部５９に着脱自在に装着されて遊技盤１０を中枠３０にロックするロック位置とロック解除するロック解除位置とに切換え可能な複数（本実施形態では４個）のロックユニット５６と、を備えている。
【００２０】
すなわち、パチンコ機ＰＭは、図１及び図２に示すように、外郭方形枠サイズに構成されて縦向きの固定保持枠をなす外枠１の開口前面に、前枠２及び中枠３０が取り付けられている。該前枠２は、外枠１に合わせた方形枠サイズに構成され、開閉搭載用の前枠２の左側上下部に対向するように配設されたヒンジ部材３ａ，３ｂを介して横開き開閉及び着脱を可能に取り付けられている。なお、符号４は、前枠２及び中枠３０を外枠１に閉鎖状態に保持する施錠装置である。
【００２１】
前枠２の各部には、パチンコ遊技を展開する遊技展開部材として、前枠２の前側面域に合わせた方形状のガラス扉５及び球皿６（上皿６ａ，下皿６ｂ）が、正面左側部に設けられたヒンジ機構７ａ，７ｂ，７ｃを介して横開き開閉及び着脱可能に組付けられている。図２に示すように、パチンコ機ＰＭは、前側から、ガラス扉５及び球皿６を含む前枠２と、中枠３０と、外枠１とを備えている。球皿６の右側下部には、遊技球Ｂａの発射操作を行う操作ハンドル８が装備されている。上皿６ａの中央上部には、遊技者を弾球遊技に参加させるための遊技ボタン９が配設されている。
【００２２】
前枠２及び中枠３０の背面には、該前枠２及び中枠３０の中央部から上部にかけて後方に突出する方形枠状の収容枠２８（図３参照）が取り付けられている。前枠２には、所定のゲージ設定で構成された遊技盤１０が着脱可能にセット保持され、常には閉鎖保持されるガラス扉５に遊技盤１０正面の遊技領域ＰＡを臨ませている。なお、外枠１及び前枠２等により遊技機本体が構成されている。ガラス扉５の前面には透明ガラス板（光透過板）１２が装着されており、該透明ガラス板１２により遊技盤１０の前方が覆われている。透明ガラス板１２と遊技盤１０との間には、これら透明ガラス板１２と遊技盤１０とで囲まれた遊技領域ＰＡが設けられている。
【００２３】
遊技盤１０の遊技領域ＰＡには、図示しない障害釘が多数打ち込まれており、遊技領域ＰＡの中央部近傍には、センター飾り１３が配設されている。該センター飾り１３の中央上部には、第２大入賞装置１４が配置されている。該センター飾り１３は、遊技盤１０の表側に配置される表側枠体（図示せず）と、該遊技盤１０の裏側に配置される裏側枠体１３ｂ（図４参照）とが、該遊技盤１０をその表裏から挟み込む形で結合することによって構成されるもので、第２大入賞装置１４を有して遊技領域ＰＡに配置されたユニット役物を構成している。該センター飾り１３の中央部には矩形状の開口部１５が形成されており、該開口部１５には、遊技に関する演出表示を行う不図示の画像表示装置がその表示部を露出した状態で配置されている。
【００２４】
センター飾り１３は、ワープ導入口１６を開口部１５の左側部に位置するように有しており、該ワープ導入口１６は、導入した遊技球Ｂａを、開口部１５の下部に位置するステージＳに導くように構成されている。ワープ導入口１６から導入された遊技球は、ステージＳに向けて開口する放出口２４から該ステージＳに放出され、該ステージＳ上を転がり移動した後、下方に落下して始動入賞装置（始動入賞口）に入賞し、或いは、該始動入賞装置には入賞せずに遊技領域ＰＡに流下して下側のアウト口２３から遊技盤裏面側に排出される。
【００２５】
遊技領域ＰＡの下部には、電動開閉式（所謂チューリップ状）の上記始動入賞装置（始動入賞口）を配置するための開口１７が形成されている。該始動入賞装置への入賞は、当たり抽選（特別図柄抽選）実行の契機となり得るものであるが、該入賞に基づく抽選結果が所定回数分保留されている状態では当たり抽選実行の契機とはならない。該始動入賞装置の直上方には、所謂命釘としての一対の障害釘１８が打ち込まれている。該一対の障害釘１８の間を遊技球が通過すると、該遊技球は、始動入賞装置内に設けられた入賞検出センサ（図示せず）で検出された後、遊技盤１０の裏面側へ排出される。
【００２６】
遊技領域ＰＡにおける上記始動入賞装置の下方には、開閉可能な蓋体１９ａを有する第１大入賞装置１９を配設するための開口２０が形成されている。該第１大入賞装置１９は、大当たり遊技等の通常遊技よりも遊技者に有利となる特別遊技の実行中に、第１大入賞装置ソレノイド（図示せず）の作動で蓋体１９ａを所定時間ずつ（又は所定数の遊技球が入賞する毎）、所定回数（所定ラウンド）だけ開放させる。
【００２７】
上記第１大入賞装置１９は、遊技領域ＰＡの下部に設けられた矩形状の入賞口を有しており、蓋体１９ａが閉鎖状態にあるとき遊技球は該入賞口を通過することができず、開放状態になったときに該入賞口を通過することが可能となる。該入賞口を通過した遊技球は、第１大入賞装置１９内に設けられた入賞検出センサ（図示せず）によって検出された後、遊技盤１０の裏面側へ排出される。
【００２８】
遊技領域ＰＡにおけるセンター飾り１３の左方には、不図示の普通図柄作動ゲートを配設するための開口２１が形成されている。該普通図柄作動ゲートは、上記チューリップ状の始動入賞装置を開閉動作させるための抽選（普通図柄抽選）の契機となる遊技球の通過が行われるものである。
【００２９】
また、遊技領域ＰＡの左下部には、不図示の普通入賞装置の入賞口ユニットを配設するための開口２２が設けられている。流下してくる遊技球が該普通入賞装置の普通入賞口（図示せず）を通過すると、該遊技球は、普通入賞装置内に設けられた入賞検出センサ（図示せず）で検出された後、遊技盤１０の裏面側へ排出される。また、遊技領域ＰＡの下端部には、遊技領域ＰＡに打ち出された後、いずれの入賞装置にも入賞せずに流下してきた遊技球を遊技盤裏面側に排出するアウト口２３が設けられている。なお、上述の複数の入賞検出センサ（図示せず）は、いずれも近接センサ等で構成されている。
【００３０】
球皿６に前面側が覆われた中枠３０（図５参照）の下部領域には、遊技補助盤（図示せず）と称される補助機構部が形成されている。この遊技補助盤の各部には、発射ユニット（打球発射装置）７３や、裏セット盤２５（図３参照）側の賞球排出路（図示せず）と連絡され、球皿６に排出できない遊技球を一時貯留する貯留カセット（図示せず）などが設けられている。また、図３の状態から裏セット盤２５や遊技盤１０等を取り外すと、図６に示す状態の中枠３０が出現する。なお、図１中の符号４７は、操作ハンドル８の操作で打ち出された遊技球Ｂａを遊技領域ＰＡに案内する案内レールである。
【００３１】
前枠２（中枠３０）の裏面側には、図３に示すように、外枠１よりもやや小型の方形枠状に形成された裏セット盤２５が、複数のフック部材を介して着脱可能にセット保持されている。裏セット盤２５の各部には、遊技球を貯留する球貯留タンク２７、タンクレール、整列待機通路、賞球カセット、賞球排出路などの賞球装置が装備されている。更に、前枠２（中枠３０）の裏面側には、パチンコ機ＰＭの全体の制御を行う主制御基板を収容した主制御基板ケース（図示せず）と、画像表示装置の画像表示の制御等を行う演出制御基板を収容した演出制御基板ケース（図示せず）と、賞球払出ユニット７０による賞球の払出しを制御する払出制御基板（図示せず）を収容した払出制御基板ケース２９と、電源基板（図示せず）を収容した電源基板ケース２６と、が配置されている。これら各制御基板ケースに収容された各制御基板によって遊技が実現される。
【００３２】
図４は、本実施形態における遊技盤１０を背面から見た状態で示す背面図である。図４に示すように、遊技盤１０の裏面に装着された裏側枠体１３ｂは、枠体本体３１を有し、該枠体本体３１の中央部に、上記開口部１５を形成するための開口１１を有している。更に、裏側枠体１３ｂは、枠体本体３１を遊技盤１０に固定するため左右に張り出した張出部３２を、左右側部に複数箇所有している。該張出部３２には、遊技盤１０に固定するネジ（図示せず）を挿入するための孔３２ａが形成されている。また、裏側枠体１３ｂの上部には、中継基板４１が装着されている。また、遊技盤１０における裏側枠体１３ｂの下側には、球排出ユニット３３が取り付けられている。該球排出ユニット３３には、上記開口１７に配置される始動入賞口に入賞した遊技球を受け入れる受入部等が設けられている。
【００３３】
図５は、本実施形態における中枠をパチンコ機前側から見た状態で示す斜視図である。図５に示すように、中枠３０は、ヒンジ部材３ａ，３ｂを介して外枠１にヒンジ接続されており、外枠１の開口部（不図示）を前方から塞ぐ閉位置と、外枠１の該開口部を開放する開位置と、の間で揺動開閉される。中枠３０は、発射ユニット７３等各種部品が装着され、外枠１の開口部を塞ぐように配置される。発射ユニット７３は、球送り装置（不図示）によって上皿６ａから発射位置に送り出された遊技球を遊技領域ＰＡの上部に向けて発射（弾球）するためのものである。なお、図中の符号３０ａは、中枠３０の開口部である。
【００３４】
次に、本発明の特徴であるロックユニット５６等に関して、図５ないし図１６を参照して詳細に説明する。
【００３５】
すなわち、中枠３０は、図６に示す裏側において、遊技盤１０を露出させるための開口部３０ａを中央部に有しており、該開口部３０ａの上部に、遊技盤１０の前面上部を当接させる当接面４３を有している。図６は、中枠３０をパチンコ機ＰＭの背面側から見た状態で示す斜視図である。当接面４３は、中央から左右方向に弓なり状に下降する円弧状に形成されており、その中央部に及び左右の複数箇所に当接部４４を有している。中枠３０は、開口部３０ａの下部に、遊技盤１０の前面下部を当接させる、左右に亘って直線状の当接面４５を有している。
【００３６】
上記開口部３０ａの四隅にはそれぞれ、ロック部材４０を有するロックユニット５６が配設されている。各ロックユニット５６では、中枠３０側に一体形成された略円筒状のユニット装着部４２に対して、フック状のロック部材４０を含むロックユニット５６（図１１（ａ），（ｂ）参照）が回動可能に嵌め込まれている。なお、図１１（ａ）における一点鎖線ｃは、大径部６２及び小径部６３からなる円筒部材の軸方向を示している。
【００３７】
また、中枠３０は、図５に示す表側において、開口部３０ａの上部及び下部にそれぞれ、上記ロックユニット５６における軸部材７１の一端部７１ｃ（図９参照）を裏面側に突出させるための縁部７４を有している。なお、符号５０は、中枠３０を外枠１側に施錠するための鉤部を示している。
【００３８】
本実施形態では、図１０に示すユニット装着部４２に対して、図１１に示すロックユニット５６を挿入して装着するように構成されている。図１０に示すように、ユニット装着部４２は、中枠３０からその裏側に突出する略円筒状に形成されており、内径の大きい大径挿入部５４、及び該大径挿入部５４より内径の小さい小径挿入部５５を有している。大径挿入部５４及び小径挿入部５５により、孔部５９の他端側開口部の周囲に形成されて円筒部材（６２，６３）の周囲を摺動自在に囲むスリーブ部が構成されている。
【００３９】
該スリーブ部（５４，５５）には、突出部６４を案内規制することによりロック位置及びロック解除位置間での回動範囲を規制する切欠き５２，５３が形成されている。即ち、上記大径挿入部５４は、その円筒状の突出壁部５４ａが上部中央よりもやや左側位置から右９０度の位置にかけて切り欠かれて摺動面５１が形成されており、該摺動面５１の両端部に切欠き５２，５３が形成されている。
【００４０】
摺動面５１における切欠き５２の近傍にはクリック突起部５７が形成されており、これら摺動面５１とクリック突起部５７とにより、切欠き５２，５３の内側に形成されてロックユニット５６に対してクリック感を与えるための凹凸部が構成されている。即ち、係合摘み部６１の回動操作時、クリック突起部５７及び摺動面５１からなる凹凸部に対し、ロック部材４０のクリック係合部６４ａ（図１１参照）が通過する際に弾接係合（弾性的に係合）することで、クリック感が生成される。この際、突出部６４のクリック係合部６４ａは、ロック位置とロック解除位置とに対応して凹凸部（５１，５７）に係合する。
【００４１】
なお、ロックユニット５６及びその周辺の説明は、４箇所のうちの１箇所について説明するが、ロックユニット５６はいずれもその構成及び作用については同様である。また、図６に示す４箇所のロックユニット５６の状態は、遊技盤１０（図６中の二点鎖線）を中枠３０にロックしている状態であるが、この状態から、左上部及び右下部のロックユニット５６ではロック部材４０をそれぞれ時計回り方向に回動させ、また右上部及び左下部のロックユニット５６ではロック部材４０をそれぞれ反時計回り方向に回動させることにより、遊技盤１０のロックを解除して該遊技盤１０を取り外すことができる。
【００４２】
このように、４箇所のロックユニット５６では、それぞれにロック部材４０をロック位置とロック解除位置とに切換え得るように、図６における左上部のユニット装着部４２の切欠き５２，５３は図１０に示すように形成され、右上部のユニット装着部４２の切欠き５２，５３は図１０と逆の状態（鏡面に映した状態）に形成されている。また、左下部のユニット装着部４２の切欠き５２，５３は左上部のユニット装着部４２と逆の状態（鏡面に映した状態）に形成され、右下部のユニット装着部４２の切欠き５２，５３は右上部のユニット装着部４２と逆の状態（鏡面に映した状態）に形成されている。
【００４３】
ロックユニット５６は、図９に示すように、少なくとも、孔部５９（図１５（ｂ）参照）を貫通するように挿入され得る軸部材７１と、該連結軸７１に設けられて引掛り部８２を成す係合突起７２，７２と、大径部６２及び小径部６３からなる円筒部材（図１２参照）と、圧縮ばね７６と、を備えている。
【００４４】
上記係合突起７２，７２は、軸部材７１の一端部７１ｃに固着され、孔部５９の非円形状の断面形状（図１５（ｂ）参照）に対応した形状に形成されると共に、孔部５９を通過した状態で軸部材７１と共に回動された際に孔部５９の一端側開口部の縁部７４（図１４、図１６参照）に引掛る上記引掛り部８２を構成している。また、大径部６２及び小径部６３からなる上記円筒部材は、軸部材７１の他端側に回動自在に周設され、孔部５９の他端側開口部の縁部５８（図１５（ｂ）参照）に当接する当接面６３ｃと外周に向けて延設された係合摘み部６１とを備えている。上記圧縮ばね７６は、軸部材７１の他端部７１ｂに固着された状態の六角ナット（固着部）４８と円筒部材（６２，６３）との間に縮設され、該円筒部材（６２，６３）の当接面６３ｃ（図１１（ａ）参照）を孔部５９の他端側開口部の縁部５８に向けて付勢する付勢部材を構成している。
【００４５】
このような構成を有するロックユニット５６は、係合突起７２，７２の回動時の角度に基づき、これら係合突起７２，７２と上記円筒部（６２，６３）とにより中枠３０を挟持することで該中枠３０に着脱自在に取付けられると共に、係合摘み部６１をロック位置に回動させて中枠３０との間に遊技盤１０を挟持することにより、該遊技盤１０を該中枠３０にロックするように構成される。
【００４６】
すなわち、ロックユニット５６は、図１１（ａ），（ｂ）に示すように、全体的に鉤状に屈曲した形状を呈しており、係合摘み部６１と、該係合摘み部６１の上部に形成された円筒状の大径部６２と、該大径部６２の先端側に形成されて該大径部６２よりも小径の小径部６３と、を有している。係合摘み部６１のユニット装着部４２側を向く面には、該ユニット装着部４２に挿入される遊技盤１０の背面に当接して該遊技盤１０を押さえ付け得るように膨出する膨出部６８が形成されている。ユニット装着部４２の大径挿入部５４に嵌め込まれる大径部６２の上部には、外径方向に突出する突出部６４が形成されている。円筒部材を構成する突出部６４の前部は、大径部６２が大径挿入部５４に嵌め込まれた状態でクリック突起部５７及び摺動面５１に対して係合するクリック係合部６４ａとされている。
【００４７】
図１２（ａ），（ｂ）に示すように、円筒状の大径部６２の内方には大径挿通部６５が形成され、小径部６３の内方には該大径挿通部６５より小径の小径挿通部６６が形成されている。該小径挿通部６６のユニット装着部４２側には底部６７が形成されており、該底部６７の中心部には、軸部材７１の他端部７１ｂ（図１５（ａ）参照）を挿通させる挿通孔６３ａが形成されている。図１１（ａ），（ｂ）及び図１５（ａ）に示すように、軸部材７１の一端部７１ｃには、中心から外径方向両側にそれぞれ突出するように、引掛り部８２の係合突起７２，７２が形成されている。また、図１２（ｂ）に示すように、係合摘み部６１には凹部６９が形成されている。
【００４８】
図１１（ａ），（ｂ）及び図１５（ａ）に示すように、軸部材７１は、挿通孔６３ａに他端部７１ｂから挿入される。そして、大径挿通部６５及び小径挿通部６６の内方において、該軸部材７１に、該小径挿通部６６に嵌合して底部６７（図１２参照）に当接し得る径のワッシャ（平座金）７５と、圧縮ばね７６と、大径挿通部６５に嵌合して該圧縮ばね７６に当接し得る径のワッシャ（平座金）７７とがこの順に挿通された状態で、他端部７１ｂの雄ねじ部にフランジ付きの六角ナット４８が螺合される。これにより、ロックユニット５６が組み立てられ、この状態のロックユニット５６をユニット装着部４２に挿入することにより、図７及び図８に示すロックユニット５６が構成される。
【００４９】
大径部６２及び小径部６３からなる円筒部材は、固着部である六角ナット４８を露出させる露出開口としての大径挿通部６５を有しており、該大径挿通部（露出開口）６５に挿入された不図示の六角レンチ等の所定工具により、六角ナット４８を介して軸部材７１及び係合突起７２，７２を回動させることができるように構成される。
【００５０】
また、ユニット装着部４２への装着後に六角ナット４８の締め付け状態（螺入状態）を変えることで、軸部材７１の係合突起７２，７２をユニット装着部４２側の係止溝部６０（図１４参照）に係止した状態での、係合摘み部６１に作用する付勢力を加減することも可能である。これにより、係合摘み部６１におけるクリック係合部６４ａの係合力の強度を調節することができる。また、係合摘み部６１への付勢力の加減で膨出部６８の遊技盤１０に対する押圧力の強度を調節できることで、遊技盤１０に厚み方向での寸法誤差があるような場合であっても、これに対処して、遊技盤１０を中枠３０に対し安定に保持することが可能になる。なお、本実施形態では、緩み止め効果を高めるためにフランジ付き六角ナット４８を用いたが、これに限らず、通常のナットを用いることも可能である。
【００５１】
また、引掛り部８２の係合突起７２，７２は、軸部材７１の一端部７１ｃから軸方向と直交する方向に放射状に突出するように形成されて、非円形状の断面形状を呈している。これら係合突起７２，７２同士は、他端部７１ｂの中心から径方向に大きくは離間しない状態で近接して形成されているため、係止溝部６０の係合凹部６０ａ，６０ｂへの係合状態で圧縮ばね７６の付勢力が常に作用していても変形には極めて強く、従って、遊技盤１０の中枠３０に対する固定強度が増強される。
【００５２】
図１３及び図１４に示すように、孔部５９の一端側開口部の縁部７４には、孔部５９の他端側開口部から軸方向に突出した六角ナット４８が軸方向に押圧された状態で係合突起７２，７２を回動方向に乗り越えさせる第１突起７８，８０と、六角ナット４８が軸方向に押圧された状態で、第１突起７８，８０を乗り越えた係合突起７２，７２を係合させて上記回動方向に乗り越えさせない第２突起７９，８１と、係合突起７２，７２が第２突起７９，８１に係合した状態で、六角ナット４８を軸方向に押圧する押圧力を解放した際に係合突起７２，７２を係止し得る係止溝部６０と、が形成されている。
【００５３】
すなわち、図１３及び図１４に示すように、中枠３０の表側（パチンコ機ＰＭの前方を向く側）には、４箇所のロックユニット５６にそれぞれ対応するように円形凹部３４が形成されており、各円形凹部３４内にそれぞれ上記縁部７４が形成されている。該縁部７４は、図１０に示したユニット装着部４２の小径挿入部５５の奥側の底部（図１０には不図示）に相当する部分であり、軸部材７１の一端部７１ｃが挿通可能となるように同図上下方向（ａ線の延在方向）に延びるように形成された孔部５９と、該孔部５９と直交する方向（ｂ線の延在方向）に延びるように形成された係止溝部６０とを有している。
【００５４】
孔部５９は、軸部材７１の一端部７１ｃを挿通させる挿通部５９ａを中央に有し、かつ該一端部７１ｃ両端の係合突起７２，７２を挿通させる挿通部５９ｂ，５９ｂを上部及び下部にそれぞれ有している。また、係止溝部６０は、挿通部５９ａを通って左右に延在するように形成され、圧縮ばね７６の付勢力で戻ろうとする上記一端部７１ｃの係合突起７２，７２をそれぞれ係合させる係合凹部６０ａ，６０ｂを挿通部５９ａの左右に有している。
【００５５】
係止溝部６０の上下（つまり、孔部５９の左右）にはそれぞれ、第１突起７８、第２突起７９、第１突起８０、第２突起８１がこの順に（反時計回りに）突出形成されている。対角線の位置関係となる第１突起７８，８０は、次のような状態に形成されている。即ち、孔部５９に押し込まれて突出する一端部７１ｃの係合突起７２，７２が同図の反時計回り方向に９０度回動する状況において、第１突起７８は上側の挿通部５９ｂから徐々に上昇する傾斜面として形成され、かつ第１突起８０は係合凹部６０ｂに向けて徐々に下降する傾斜面として形成されている。これにより、第１突起７８，８０は、図の反時計回り方向に回動する係合突起７２，７２を、中枠３０表側（図１４の左方向）に引っ張りつつ乗り越えさせ、この時点で他端部７１ｂへの押圧力が緩められると、圧縮ばね７６の付勢力で係合凹部６０ａ，６０ｂに落とし込んで係止させることができる。
【００５６】
また、対角線の位置関係となる第２突起７９，８１は、孔部５９の一端側開口部の縁部７４から第１突起７８，８０より高くなるように形成されて、係合突起７２，７２が反対方向（本実施形態では図１４の時計回り方向）に回動されることを規制するように構成されている。そして、第２突起７９，８１は、軸部材７１が押し込まれて係止溝部６０から一端部７１ｃを突出させて同図の反時計回り方向に９０度回動する状況において、第２突起７９は係合凹部６０ａから一旦高くされて徐々に下降する傾斜面として形成され、かつ第２突起８１は上側の挿通部５９ｂに向けて徐々に上昇する傾斜面として形成されている。このような第２突起７９，８１は、上記第１突起７８，８０を乗り越えさせる際の係合突起７２，７２の突出量よりも縁部７４から大きく突出させた場合には、図の反時計回り方向に更に回動させることで、係合突起７２，７２を係止溝部６０から孔部５９側に乗り越えさせることができる。一方、第１突起７８，８０を乗り越えさせる際の係合突起７２，７２の突出量よりも小さくする場合は、図の時計回り方向に戻すように回動させることで、係合突起７２，７２を係止溝部６０から孔部５９側に乗り越えさせることができる。この状態では、軸部材７１の係合突起７２，７２を孔部５９から抜き出し、ロックユニット５６全体をユニット装着部４２から取り外すことができる。
【００５７】
図１５（ｂ）は、図１４に対応するもので、図１４の裏側から見た状態を示す図であり、図１５（ｃ）は、ユニット装着部４２に装着したロック部材４０をやや回動させた状態で示す斜視図である。なお、図１５（ｂ），（ｃ）において、クリック突起部５７は便宜上、図１０に示したものより小さく描いているが、クリック感を与える機能は同様である。
【００５８】
図１５（ｂ）に示すように、ユニット装着部４２における小径挿入部５５奥側の縁部５８には、上述した孔部５９が上下方向に延在するように形成されており、該孔部５９の上下にはそれぞれ挿通部５９ｂ，５９ｂが形成されている。この状態のユニット装着部４２にロックユニット５６が挿入されると、図１５（ｃ）に示すようになる（図７、図８、図９も併せて参照）。即ち、まず、図１６（ａ），（ｂ）に示すように、ロックユニット５６の軸部材７１を大径挿入部５４及び小径挿入部５５に挿通しながら、その係合突起７２，７２を挿通部５９ｂ，５９ｂに挿入させつつ縁部７４側に突出させる。
【００５９】
そして、この状態において、図１６（ｃ），（ｄ）に示すように、六角ナット４８に、六角レンチ等の所定工具（図示せず）を係合させ、圧縮ばね７６のバネ力に抗して軸部材７１を縁部７４側に押し込みながら図１６（ｃ）における反時計回り方向に９０゜回動させる。この際、同図に示すように、一端部７１ｃの係合突起７２，７２が縁部７４から突出して孔部５９から離脱し、この状態で軸部材７１は、図１６（ｃ）の反時計回り方向に９０゜回動させられる。
【００６０】
このため、軸部材７１の一端部７１ｃは、係合突起７２，７２を第１突起７８，８０にそれぞれ摺接させながら乗り越え、かつ第２突起７９，８１に当接した時点で作業者が押圧力を弛めることにより、圧縮ばね７６の付勢力に準じて戻される（引っ込む）。このため、図１６（ｅ），（ｆ）に示すように、係合突起７２，７２をそれぞれ係合凹部６０ａ，６０ｂに嵌め込んだ状態で、軸部材７１の一端部７１ｃは、安定した状態で係止溝部６０に係合、係止される。
【００６１】
この状態において、ロックユニット５６では、図９に示すロック状態（ロック位置）から、図１５（ｃ）に示すように係合摘み部６１を摘んで時計回り方向に回動させることで、突出部６４のクリック係合部６４ａがクリック突起部５７を乗り越える際のクリック感をロック解除の実感として作業者に与えつつ、突出部６４を切欠き５３に当接させたロック解除位置（ロック解除状態）に切り換えることができる。
【００６２】
なお、本パチンコ機ＰＭにおいては、遊技盤１０を中枠３０に保持する作業後に、４箇所のロックユニット５６のいずれか１箇所でも図６のロック位置からロック解除位置に回動されたままの状態になっていると、中枠３０裏側に裏セット盤２５をセット保持する際に、該裏セット盤２５の対応する部分がロック解除位置のロック部材４０に当接することにより、該裏セット盤２５を正常にセット保持できない構成とされている。これにより、ロック部材４０をロック解除状態のままで裏セット盤２５をセット保持しようとしていることを、作業者に確実に気づかせることができる。
【００６３】
以上の構成を備えたパチンコ機ＰＭは、図１に示すように、ガラス扉５及び球皿６を含む前枠２と、中枠３０とがともに外枠１に対して閉塞され施錠された状態で遊技に供される。そして、遊技者が球皿６に遊技球を貯留させて操作ハンドル８を回動操作することにより、パチンコゲーム（弾球遊技）が開始される。即ち、操作ハンドル８が図１の時計回り方向に回動操作されると、球皿６に貯留された遊技球が打球発射装置（不図示）により１球ずつ遊技盤１０の遊技領域ＰＡに打ち出され、以降、弾球遊技が展開される。
【００６４】
遊技領域ＰＡに打ち出された遊技球が、開口１７の位置にある始動入賞装置（不図示）に入賞すると、主制御基板の抽選機能により特別図柄抽選（第１の大当たりの抽選）が行われ、その結果として、開口部１５の位置にある画像表示装置（不図示）において特別図柄（装飾図柄）が所定時間だけ変動表示される。この特別図柄抽選では、始動入賞装置への入賞時に取得された乱数値に基づき、第１大入賞装置１９の蓋体１９ａを所定ラウンド数だけ開閉動作させる第１の大当たり、第２大入賞装置１４の開閉部材３５を所定ラウンド数だけ開閉動作させる第２の大当たり、並びに、これら第１及び第２の大当たりの何れにもならない外れ、などが決められる。上記画像表示装置の表示部には、特別図柄抽選の決定結果に応じた特別図柄に対応する装飾図柄が表示され、最終的に３つの図柄を一致させるような表示態様（例えば「７７７」「５５５」「３３３」）や、最終的に３つの図柄が一致しない表示態様（例えば「５２７」「３４６」）、などが表示される。
【００６５】
遊技球がセンター飾り１３のワープ導入口１６を介して放出口２４からステージＳに導入された際には、遊技球がステージＳの上を一時的に停留するように左右に転動し、最終的にはステージＳの下方に落下して始動入賞口に入賞したり、該始動入賞口には入賞せずに遊技領域ＰＡに流下して下側のアウト口２３に取り込まれたりする。
【００６６】
そして、上記第１の大当たりに当選した場合は、下部アタッカーとしての第１大入賞装置１９の蓋体１９ａが、所定回数だけ開放される。つまり、蓋体１９ａが所定時間開放された時点、または例えば９球以上の遊技球が入賞した時点で、該蓋体１９ａが一旦閉鎖されるという該蓋体１９ａの開閉動作が、所定回数（例えば１５回）継続して繰り返される。この間、遊技者による操作ハンドル８の操作で遊技領域ＰＡに打ち出された遊技球Ｂａが、開放した蓋体１９ａに受け入れられ、これにより、第１大入賞装置１９に入賞した各遊技球に夫々対応して払い出される多量の遊技球（賞球）が球皿６上に放出される。
【００６７】
一方、上記第２の大当たりに当選した場合は、上部アタッカーとしての第２大入賞装置１４の開閉部材３５が、段階的（例えば３段階（１６回，３２回，４８回））に異なる回数だけ開放される。つまり、所定時間ずつで所定回数、小刻みに開放される開閉部材３５によって、遊技領域ＰＡに打ち出された遊技球Ｂａが該遊技領域ＰＡの上部において受け入れられて入賞する。このように第２大入賞装置１４に入賞した各遊技球にそれぞれ対応して払い出される多量の遊技球（賞球）が球皿６上に放出される。
【００６８】
このような弾球遊技に供される本パチンコ機ＰＭは、その製造時等には、遊技盤１０が中枠３０に対して、以下のように組み付けられる。
【００６９】
すなわち、図２に示すパチンコ機ＰＭにおいて、ガラス扉５及び球皿６を含む前枠２と中枠３０とを外枠１からヒンジ部材３ａ，３ｂ等を中心に回動させて開放し、まだロックユニット５６を装着していない状態のユニット装着部４２（図１０参照）に対し、ロックユニット５６を挿入装着する。これに先立ち、ロックユニット５６を組み立てるのであるが、その際、作業者は、一方の手にロック部材４０を持った状態で、軸部材７１をその他端部７１ｂから挿通孔６３ａに挿通させ、ロック部材４０の内方にて該軸部材７１に、ワッシャ７５、圧縮ばね７６及びワッシャ７７をこの順に挿通させた後、他端部７１ｂの雄ねじ部に六角ナット４８を螺合させて締め付け、ロックユニット５６として組み立てる（図１５（ａ）参照）。
【００７０】
そして、作業者は、この状態のロックユニット５６をユニット装着部４２に挿入するのであるが、その際、たとえ突出部６４を切欠き５２，５３に対向させずに大径挿入部５４の突出壁部５４ａに当接させた状態で組み込もうとしても、この状態からロックユニット５６を例えば図１５（ｂ）の時計回り方向に回動させるだけで、突出部６４を切欠き５２から摺動面５１に落とし込み、ロックユニット５６をユニット装着部４２に対する正規の位置に挿入することができる。勿論、最初から突出部６４を摺動面５１に対向させていれば、そのままロックユニット５６をユニット装着部４２に対する正規の状態に迅速にセットすることができる。また、ロックユニット５６をユニット装着部４２に装着する際、ロックユニット５６を正規の位置とは逆に、突出部６４を突出壁部５４ａに当接させたままの状態で係合突起７２，７２を係止溝部６０に無理に係止させた場合であっても、ロックユニット５６のロック部材４０を図１５（ｂ）の時計回り方向に回動させていくうちに、突出部６４を切欠き５２から摺動面５１に落とし込ませ、自然に正規の状態に戻すことができる。
【００７１】
そして、作業者は、ユニット装着部４２にロックユニット５６を挿入すると、該ロックユニット５６から突出している軸部材７１の一端部７１ｃ及び係合突起７２，７２を、小径挿入部５５奥側の縁部５８の孔部５９（挿通部５９ａ，５９ｂ）に挿入させつつ縁部７４側に突出させる（図１６（ａ），（ｂ）参照）。更に、六角レンチ等の所定工具（図示せず）を六角ナット４８に係合させ、圧縮ばね７６のバネ力に抗して軸部材７１を縁部７４側に押し込みながら、図１５（ｂ）の時計回り方向に９０゜回動させる。これにより、軸部材７１は、係合突起７２，７２を縁部７４から突出させて孔部５９から離脱した状態のまま図１６（ｃ）の反時計回り方向に９０゜回動させられる（図１６（ｄ）も参照）。
【００７２】
これにより、軸部材７１の一端部７１ｃは、係合突起７２，７２を第１突起７８，８０にそれぞれ摺接させながら乗り越えた時点で圧縮ばね７６の付勢力で戻されて、係合凹部６０ａ，６０ｂにそれぞれ嵌め込まれた状態で、安定状態にて係止溝部６０に係合、係止される（図１６（ｅ），（ｆ）参照）。これにより、ロックユニット５６はユニット装着部４２に対して正規の状態に装着される。この作業を他の３箇所のユニット装着部４２に対しても同様に行うことにより、図６に示すように、中枠３０の開口部３０ａの周囲の４箇所すべてに対してロックユニット５６を装着することができる。
【００７３】
この状態から、作業者は、４箇所のロックユニット５６の各ロック部材４０を、図６に示すロック位置からロック解除位置に向けて９０度回動させておき、遊技盤１０の表側を中枠３０の前方（図６における右方）に向けるようにして、該遊技盤１０の四隅をそれぞれ対応するロックユニット５６に位置させて、図６の二点鎖線で示すように保持する。そして、作業者は、遊技盤１０を保持しながら、４箇所のロックユニット５６の各ロック部材４０を、ロック解除位置からロック位置に向けて９０度戻すように回動させる。これにより、４箇所のロックユニット５６では、係合摘み部６１前側の膨出部６８が遊技盤１０の四隅の裏面をそれぞれ弾性的に押圧して該裏面を係止し、これにより、遊技盤１０は中枠３０に堅固にロックされる。
【００７４】
上記作業時、作業者は、各ロックユニット５６にてロック部材４０をロック位置からロック解除位置に回動させる際、及びロック解除位置からロック位置に回動させる際のいずれにおいても、突出部６４のクリック係合部６４ａがクリック突起部５７を乗り越える際のクリック感を実感できるため、ロック部材４０の回動させるべき位置を明確に認識でき、従って、作業能率も向上することになる。
【００７５】
以上説明したように、本実施形態では、複数のロックユニット５６がそれぞれ、孔部５９を貫通するように挿入され得る軸部材７１と、孔部５９を通過した状態で軸部材７１と共に回動された際に孔部５９の一端側開口部の縁部７４に引掛る係合突起７２，７２と、孔部５９の他端側開口部の縁部５８に当接する当接面６３ｃと外周に向けて延設された係合摘み部６１とを有する大径部６２及び小径部６３からなる円筒部材と、六角ナット４８と該円筒部材との間に縮設された圧縮ばね７６とを備える。更に、各ロックユニット５６は、係合突起７２，７２の角度に基づき、係合突起７２，７２と上記円筒部材とにより中枠３０を挟持することで該中枠３０に着脱自在に取付けられると共に、係合摘み部６１をロック位置に回動させて中枠３０との間に遊技盤１０を挟持することにより該遊技盤１０を該中枠３０にロックし得る構成を備える。このように遊技盤１０の保持構造を改善したことにより、係合突起７２，７２を孔部５９の一端側開口部の縁部７４に引掛けるだけの操作で、ロックユニット５６を中枠３０の孔部５９にワンタッチで簡単に装着することができ、部品交換等の利便性を向上させることができる。
【００７６】
また、本実施形態によると、円筒部材（６２，６３）の周囲を摺動自在に囲む大径挿入部５４及び小径挿入部５５からなるスリーブ部に、突出部６４を案内規制することによりロック位置及びロック解除位置間での回動範囲を規制する切欠き５２，５３が形成されるので、ロック位置とロック解除位置とに回動される係合摘み部６１の操作範囲を明確に規定することができる。また、上記スリーブ部（５４，５５）への円筒部材（６２，６３）の挿入時に該円筒部材が正規の状態に挿入されない場合、つまり、ロックユニット５６を通常の取り付け方向と異なる方向に装着しようとした場合には、突出部６４が切欠き５２，５３の間に入らず上記スリーブ部に乗り上げて孔部５９に上手く挿入できなくなるので、作業者はそのことに直ちに気付くことができる。このため、ロックユニット５６を装着してから間違いに気付き、取り外して再度装着するような煩雑な作業を不要にし、作業性を向上することができる。
【００７７】
更に、本実施形態によると、上記円筒部材（６２，６３）の突出部６４が、係合摘み部６１の回動操作時にロック位置とロック解除位置とに対応して、摺動面５１及びクリック突起部５７からなる凹凸部に係合するので、係合摘み部６１の回動操作に伴って突出部６４が凹凸部（５１，５７）に係合する際のクリック感を、ロック位置側への操作感、及びロック解除位置側への操作感として作業者に伝えることにより、作業の進行具合を作業者に的確に認識させて、作業性の向上を図ることができる。
【００７８】
また、本実施形態によると、上記円筒部材（６２，６３）が、六角ナット４８を露出させる大径挿通部（露出開口）６５を有し、該大径挿通部６５に挿入された六角レンチ等の所定工具により六角ナット４８を介して軸部材７１及び係合突起７２，７２を回動させ得るので、装着作業時に、軸部材７１の他端部の六角ナット４８を所定工具で押し込みながら回動させるだけで、ロックユニット５６を孔部５９に簡単に装着することができる。従って、装着作業時の所定工具の操作を、遊技盤１０の取り付け側から、つまりロックユニット５６の装着側から行うことができるので、作業の効率化を図ることができる。
【００７９】
更に、本実施形態によると、孔部５９の一端側開口部の縁部７４に、六角ナット４８が軸方向に押圧された状態で係合突起７２，７２を回動方向に乗り越えさせる第１突起７８，８０と、第１突起７８，８０を乗り越えた係合突起７２，７２を係合させて回動方向に乗り越えさせない第２突起７９，８１と、係合突起７２，７２が第２突起７９，８１に係合した状態で六角ナット４８を軸方向に押圧する押圧力を解放した際に係合突起７２，７２を係止し得る係止溝部６０とを備えるので、軸部材７１の他端部７１ｂを押し込みながら該軸部材７１を回動させることで、孔部５９を通過した係合突起７２，７２を、第１突起７８，８０を乗り越えさせた後に第２突起７９，８１に係合させて位置決めした上で係止溝部６０に確実に係止することができる。これにより、装着作業を手探りで簡便に進めることができ、作業時間を短縮させることができる。
（第２実施形態）
【００８０】
次に、第２実施形態の遊技機に係るパチンコ機ＰＭ２について説明する。なお、第１実施形態と同様の部分については同一符号を付し、その説明は省略する。第２実施形態に係るパチンコ機ＰＭ２においては、中枠３０の背面側から見て、左側の上下部のロック部材４０，４０は第一実施例と同様であるが、右側の上下部のロック部材４０ａ，４０ｂは、第一実施形態のものとは異なっている。左側の上下部のロック部材４０，４０は中枠３０の開放端側に位置するものであり、右側の上下部のロック部材４０ａ，４０ｂは、中枠３０の枢支端側、即ちヒンジ部材３ａ，３ｂの側に位置するものである。
【００８１】
図１７〜図１９は、右側の上部に用いられているロック部材４０ａを示している。このロック部材４０ａは、合成樹脂材料を一体成型してなるもので、図１７に示すように、円筒部材６２ａ、係合摘み部９１、突出部６４、回り止め部９２、肩リブ９３を含んで構成されている。円筒部材６２ａには、大径部６２及び小径部６３が形成されており、大径部６２及び小径部６３は同一軸線（一点鎖線ｃ）上で前後に並んでいる。ここで、本実施形態においては、ロック部材４０ａ及びその他のロック部材４０，４０，４０ｂの色は白色である。
【００８２】
小径部６３の先端側には、上記回り止め部９２が形成されており、回り止め部９２は、略１８０度離間して同一直線上に並んだ２つの係止用凸部９２ａ、９２ａを有している。各係止用凸部９２ａは、Ｈ字状の断面形状を有しており、両側面の中央部に切欠部９２ｂが形成されている。また、各係止用凸部９２ａは、Ｈ字状の先端面９２ｃを上記小径部６３の先端側に向けて直線状に突出させているとともに、両係止用凸部９２ａ，９２ａは、挿通孔６３ａを間にしてＨ字を横に並べた位置関係にある。
【００８３】
上記係合摘み部９１は、大径部６２から、大径部６２の径方向に突出しており、係合摘み部９１の突出している向きは、上記係止用凸部９２ａ、９２ａが並んだ方向における一方の向きである。図１８に示すように、係合摘み部９１の幅Ｗは、大径部６２の直径Ｄよりも大である。そして、係合摘み部９１の一方の側部９１ａは大径部６２と直接的に連続し、係合摘み部９１の他方の側部９１ｂは、大径部６２よりも外側に張り出している。
【００８４】
係合摘み部９１は、円筒部材６２ａの大径部６２から連続した基端側部９４と、この基端側部９４から先端側に延びる操作部９５とを含んでいる。このうち基端側部９４は、大径部６２から板状に突出した上記肩リブ９３と連続している。また、基端側部９４の先端側の角部には、テーパー部９４ａ，９４ｂが形成されており、肩リブ９３が位置する側のテーパー部９４ｂは、反対側、即ち大径部６２に直接的に連続する側のテーパー部９４ａよりも大きく切り欠かれている。
【００８５】
操作部９５は、図３１に示すように、その厚さＴ２が基端側部９４の厚さＴ１に対して薄く形成されたものであり、基端側部９４に対して凹陥した形状を呈している。また、操作部９５の幅方向の側部には、図１７及び図１８に示すように、操作部９５の長手方向の略全長に亘るテーパー部９５ａ，９５ｂが形成されており、肩リブ９３が位置する側のテーパー部９５ｂは、反対側のテーパー部９５ａよりも大きく切り欠かれている。
【００８６】
操作部９５のテーパー部９５ａ，９５ｂは、基端側部９４のテーパー部９４ａ，９５ｂと夫々連通しており、後述するように遊技盤１０の装着作業時に用いられる第１及び第２の誘い込み用空間部９６ａ，９６ｂを形成している。そして、肩リブ９３が位置する側の上記テーパー部９４ｂ，９５ｂが，反対側のテーパー部９４ａ，９５ａよりも大きく切り欠かれたものであることから、第１の誘い込み用空間部９６ａは、第２の誘い込み用空間部９６ｂよりも大きく確保されている。
【００８７】
また、操作部に９５の長手方向の先端寄りの部位には突部９７が形成されており、この突部９７の両側面は、操作部９５のテーパー部９５ａ，９５ｂに連続する傾斜面となっている。そして、突部９７の先端面９７ａは、操作部９５の長手方向に沿った矩形の平坦面に成形されている。
【００８８】
操作部９５の、上記第１及び第２の誘い込み用空間部９６ａ，９６ｂが確保された側を基準としてその裏側となる部位には、図１９に示すように凹部９８が形成されており、この凹部９８内には板状の縦リブ９８ａと複数の横リブ９８ｂ…が形成されている。これらのうち縦リブ９８ａは、大径部６２から操作部９５の長手方向に沿って直線状に延びており、大径部６２の軸心（一点鎖線ｃにより示される軸と一致する）を中心として１８０度離間した突出部６４と略同一の直線上に位置している。また、横リブ９８ｂ…は、略等間隔で並んでおり、縦リブ９８ａに対して直交する方向に延びている。そして、縦リブ９８ａと横リブ９８ｂ…によって区画された開口寸法は、何れも、作業者の手指の先端が容易には入り込まない程度の大きさに設定されている。
【００８９】
図１７に示すように、上記肩リブ９３の外則面と上記基端側部９４に跨る領域には、矢印部９３ａが形成されている。この矢印部９３ａは、肩リブ９３に矢印の軸の部分が形成され、基端側部９４に矢尻の部分が形成されており、基端側部９４においては１ｍｍに満たない程度に僅かに突出している。また、矢印部９３ａの矢尻の先端は、第２の誘い込み用空間部９６ｂの側を向いている。そして、矢印部９３ａには視認が容易となるような彩色で着色が施されている。
【００９０】
図３２に示すように、上述した右側の上部のロック部材４０ａには、左側のロック部材４０，４０と同様に、軸部材７１が、六角ナット４８、ワッシャ７５，７７、及び圧縮ばね７６を介して連結されてロックユニット５６ａを構成している。また、右側の下部のロック部材４０ｂも、上部のロックユニット５６ａと同様の構成を有している。
【００９１】
右側の上下のロックユニット５６ａ，５６ｂが中枠３０のユニット装着部４２，４２に装着される際には、図２９に示すように、互いのロック部材４０ａ，４０ｂの係合摘み部９１の先端同士が向かい合うように、ロック部材４０ａ，４０ｂの向きが決められる。
【００９２】
また、図２９に示すように、ユニット装着部４２、４２は同一の鉛直線上には位置しておらず、互いに左右に偏倚しており、これによって上下のロックユニット５６ａ，５６ｂの回転軸の位置関係も互いに左右に偏倚している。下部のロックユニット５６ｂの取付位置は、上部のロックユニット５６ａよりも図２９中に符号Ｓで示す程度（例えば数ｍｍ程度）中枠３０の外側に位置している。そして、上部のロック部材４０ａにおいては、第２の誘い込み用空間部９６ｂが、下部のロック部材４０ｂにおいては、第１の誘い込み用空間部９６ａが、それぞれ中枠３０の左右方向の中央側に向けられている。
【００９３】
ロック部材４０ａ，４０ｂの回り止め部９２は、ロックユニット５６ａ，５６ｂが中枠３０のユニット装着部４２，４２に装着された際に、孔部５９の挿通部５９ｂ，５９ｂに到達して係止し、ロック部材４０ａ，４０ｂが自由に回転するのを阻止している。つまり、ロック部材４０ａ，４０ｂは、中枠３０に装着された後にはその向きを保ち、第１及び第２の誘い込み用空間部９６ａ，９６ｂを中枠３０の左右方向の中央側に向けたままとしている。ただし、回り止め部９２、軸部材７１、及び圧縮ばね７６の周囲に存在する所定程度の間隙の存在などにより、ロック部材４０ａ，４０ｂは、外力が加えられた場合には、若干の所謂がたつきを生じる程度の適度な変位が可能である。
【００９４】
また、ロック部材４０ａ，４０ｂと、中枠３０の開口部３０ａの縁部との間には、遊技盤１０の装着作業の際に、遊技盤１０の背面側から見て右側の部位を受け入れる空間部３０ｂが形成されており、この空間部３０ｂには上記第１及び第２の誘い込み用空間部９６ａ，９６ｂが連通している。
【００９５】
さらに、図２５に示すように、中枠３０の背面側から見て、下の当接面４５の右側の部位には、１ｍｍに満たない程度の高さの２つのリブ３０ｃ，３０ｄが形成されている。また、当該リブ３０ｃ，３０ｄの上方の部位には、遊技盤１０を位置決めする位置決めボス３０ｅが後向きに突設されており、この位置決めボス３０ｅの先端には全周に亘り先細のテーパー部３０ｆが形成されている。位置決めボス３０ｅの突出量は、遊技盤１０の厚さに対して同程度以下であり、本実施形態では遊技盤１０の厚みよりも数ｍｍ程度小さく設定されている。
【００９６】
遊技盤１０の、上記位置決めボス３０ｅに対応する位置には、図２６，図２９に示すように、遊技盤１０の前後の面に開口して遊技盤１０を貫通する位置決め孔１０ａが設けられている。位置決め孔１０ａの直径は、位置決めボス３０ｅの基端側の直径よりもプラスの公差を有する程度に幾分大きく設定されている。そして、遊技盤１０が中枠３０に装着される場合には、中枠３０の位置決めボス３０ｅが遊技盤１０の位置決め孔１０ａに入り込んで、遊技盤１０を位置決めする。なお、本実施形態においては、遊技盤１０の左上の部位にも位置決め孔１０ａが形成されており、中枠３０のこれに対応する部位にも位置決めボス３０ｅ（図示しない）が突設されている。
【００９７】
次に、遊技盤１０を中枠に装着する際の作業について説明する。先ず、パチンコ機を生産する工場や、営業準備中の遊技場などにおいて作業者は、図２５，図２６に示すように中枠３０の背面側で、遊技盤１０の右側部を、上記空間部３０ｂに近付けるとともに、中枠３０の下の当接面４５における右奥部４５ａに載せる。この作業は、遊技盤１０の先端側の部位１０ｂが、少なくとも奥に位置するリブ３０ｄの上に載るように行われるのが好ましい。
【００９８】
さらに、遊技盤１０を中枠３０の左右方向に対して傾けたまま奥に進入させ、図２６中に矢印Ｅで示すように、遊技盤１０の先端側の部位１０ｂが空間部３０ｂに更に近づくようにスライドさせる。この際、上部のロック部材４０ａには第２の誘い込み用空間部９６ｂが設けられ、下部のロック部材４０ｂには第１の誘い込み用空間部９６ａが設けられていることから、図３３に示すように、遊技盤１０は、操作部９５のテーパー部９５ａ，９５ｂにより案内されながら、第１及び第２の誘い込み用空間部９６ａ，９６ｂを経て、上記空間部３０ｂに滑らかに進入する。
【００９９】
図２７、図２８に示すように、作業者は、上部のロック部材４０ａのテーパー部９５ｂや、下部のロック部材４０ｂのテーパー部９５ａを狙って、遊技盤１０をロック部材４０ａ，４０ｂに近付ける。遊技盤１０は、上下のテーパー部９５ａ，９５ｂの傾斜面により案内されながら空間部３０ｂの奥に進み、開口部３０ａの周縁部に突き当たる。その後、作業者が、図２８中に矢印Ｅで示すように遊技盤１０を徐々に寝かせ、遊技盤１０の右側部を支点として遊技盤１０左側部を中枠３０に近付けることにより、遊技盤１０が中枠３０に対して徐々に平行に向けられる。
【０１００】
この際、遊技盤１０の位置決め孔１０ａが、中枠３０の位置決めボス３０ｅのテーパー部３０ｆにより案内されながら、位置決めボス３０ｅを受け入れ、遊技盤１０の更なる移動及び寝かせが許容される。そして、図２９に示すように、遊技盤１０が全周に亘り中枠３０に接近して正対したところで、遊技盤１０が中枠３０の開口部３０aの周縁部に嵌合し、遊技盤１０の中枠３０に対する装着及び保持が完了する。この段階において、遊技盤１０は中枠３０に対し四ヶ所全てでロックされる前の仮止めされている状態にある。
【０１０１】
この後、図３０中に矢印Ｈ，Ｉで示すように、ロック解除位置にある左側の上下部のロック部材４０，４０を回転させて、係合摘み部６１，６１が遊技盤の背面に重なるようにロック部材４０，４０の向きを変えることにより、ロック部材４０，４０がロック位置にある状態となり、左側の上下部のロックユニット５６，５６が遊技盤１０を中枠３０に押圧して遊技盤１０のロックを行う。
【０１０２】
また、右側の上下部のロックユニット５６ａ，５６ｂにおいては、ロック部材４０ａ，４０ｂは、遊技盤１０の装着の前後において位置の切換えを伴うことなく姿勢を保ったまま、遊技盤１０の厚さや、圧縮ばね７６、突部９７等の相互関係により、ロックユニット５６ａ，５６ｂが遊技盤１０を押さえてロックしている。
【０１０３】
このような本実施形態のパチンコ機ＰＭ２によれば以下のような作用効果を奏することが可能である。すなわち、遊技盤１０の装着の際に遊技盤１０の下辺を中枠３０の下の当接面４５が支え、中枠３０の背後から見て右側のロック部材４０ａ，４０ｂが第１及び第２の誘い込み用空間部９６ａ，９６ｂを介して遊技盤１０を案内しているので、遊技盤１０の装着を補助する装着補助部９９を、中枠３０の下の当接面４５及びロック部材４０ａ，４０ｂによって構成することができる。
【０１０４】
そして、右側の上下部のロックユニット５６ａ，５６ｂが、装着補助部９９として兼用されているので、専用の装着補助部（例えば、特開２００７−１９０２６４号公報に記載された発明の「上側受け具３０」や「下側受け具３１」などのようなもの）を別途製作して取り付ける必要がなく、部品点数や組立工数を削減できる。さらに、装着補助部を設けるためのスペースを省略できるとともに中枠３０に広いスペースを確保でき、パチンコ機ＰＭ２の部品配置の自由度を高めることができる。
【０１０５】
また、本実施形態のパチンコ機ＰＭ２によれば、ロックユニット５６ａ，５６ｂは、遊技盤１０の先端側の部位１０ａを誘い込み用空間部９６ａ，９６ｂに受け入れて遊技盤１０が中枠３０に装着されるように案内するので、遊技盤１０の誘い込みを確実に行うことができる。
【０１０６】
さらに、本実施形態のパチンコ機ＰＭ２の複数のロックユニットは、遊技盤１０を中枠３０にロックするロック位置とロック解除する解除位置とに切換え可能なロックユニット５６，５６を含んでいるので、専用の装着補助部を省略しつつ、より確実に遊技盤１０のロックを行うことができる。
【０１０７】
また、装着補助部として兼用されるロックユニット５６ａ，５６ｂには、位置を保ったまま遊技盤１０をロックするロック部材４０ａ，４０ｂが備えられているので、専用の装着補助部を省略しつつ、少ない作業工数で遊技盤１０のロックを行うことができる。
【０１０８】
さらに、ロック部材４０ａ，４０ｂには、ロック部材４０ａ，４０ｂの回動を規制する回り止め部９２が形成されているので、ロック部材４０ａ，４０ｂの位置を確実に保つことができる。
【０１０９】
また、ロック部材４０ａ，４０ｂが合成樹脂製であるので、遊技盤１０のような接触する相手の部品が傷付くのを防止できる。そして、接触する相手の部品が木製である場合に限らず、例えば合成樹脂製の遊技盤などの場合であっても組み合わせることが可能であり、より多くの機種に適用が可能である。
【０１１０】
さらに、本実施形態では、ロック部材４０ａ，４０ｂに第１及び第２の誘い込み用空間部９６ａ，９６ｂを形成しているので、係合摘み部９１を上下の何れに向けても遊技盤１０の誘い込みに用いることができる。したがって、同一形状のロック部材４０ａ，４０ｂを上部及び下部の何れにも使用することができ、上部用及び下部用のロック部材を区別して設計及び生産する必要がない。
【０１１１】
また、ロック部材４０ａ，４０ｂにおける第１及び第２の誘い込み用空間部９６ａ，９６ｂは、大きいほど、即ち遊技盤１０を迎え入れる際の間口や深さが大きいほど、遊技盤１０の誘い込みが容易となるが、双方の誘い込み用空間部９６ａ，９６ｂを単に大きくしたのでは、ロック部材４０ａ，４０ｂが大型化し、周辺部品の配置や形状に影響を与える可能性がある。しかし、本実施形態においては、第１及び第２の誘い込み用空間部９６ａ，９６ｂの大きさを互いに異ならせているので、ロック部材４０ａ，４０ｂを可及的に小型化できる。したがって、遊技盤１０の誘い込みを容易にしつつ、且つ周辺部品の配置や形状に与える影響を最小限に抑えることが可能である。
【０１１２】
さらに、本実施形態においては、上部のロック部材４０ａが、第１の誘い込み用空間部９６ａに比べて大きく確保された第２の誘い込み用空間部９６ｂを作業者の側に向けているので、作業者の姿勢が、ロック部材４０ａを上方或いは同程度の高さから見るよう設定されている場合などには、作業者が第２の誘い込み用空間部９６ｂを目視し易い。これにより、遊技盤１０の先端側の部位１０ｂを第２の誘い込み用空間部９６ｂに進入させる前段階において、ロック部材４０ａに干渉させてしまうことを防止できる。
【０１１３】
また、本実施形態においては、下部のロック部材４０ｂも第１の誘い込み用空間部９６ａを作業者の側に向けているので、作業者は遊技盤１０の鉛直性についてある程度の注意を払うのみで遊技盤１０の右側部の下端部を第１の誘い込み用空間部９６ａに進入させることができる。
【０１１４】
さらに、操作部９１の凹部９８には縦リブ９８ａと横リブ９８ｂ…が設けられているので、操作部９１に十分な剛性を確保し易い。また、縦リブ９８ａと横リブ９８ｂ…の配置は、作業者の手指が各区画に容易には入り込まないよう設定されているので、ロックユニット５６ａ，５６ｂを中枠３０に装着する際に、作業者の手指がリブにより圧迫されるようなことがない。
【０１１５】
なお、左側のロック部材４０，４０に同様のリブ構造を採用することも可能である。左側のロック部材４０，４０は、右側のロック部材４０ａ，４０ｂよりも作業者によって操作される機会が多いものであるから、左側のロック部材４０，４０に上記リブ構造を採用した場合には、作業者に与える負担を軽減する効果がより顕著となる。
【０１１６】
また、本実施形態においては、ロック部材４０ａ，４０ｂに矢印部９３ａが形成されているので、第１及び第２の誘い込み用空間部９６ｂの位置を作業者に明示できる。したがって、作業者が、上部のロック部材４０ａの第２の誘い込み用空間部９６ｂに遊技盤１０を進入させる作業がより容易となる。
【０１１７】
なお、図３４及び図３５に示すように、矢印部９３ａを省略することも可能であり、省略した場合には、矢印部９３ａを形成するための金型コストや、矢印部９３ａに着色するためのコストを削減できる。ここで、図３４に示すタイプのロック部材４０ｃにおいては、回り止め部９２ｄの係止用凸部９２ｅ，９２ｆは互いに大きさの異なる直方体状に形成されている。そして、係合摘み部９１が突出した側に位置する係止用凸部９２ｅの外形寸法は、他方の係止用凸部９２ｅよりも大である。
【０１１８】
以上、本発明をその好適な実施形態に基づいて説明したが、本発明の遊技機は、上記実施形態の構成にのみ限定されるものではなく、上記実施形態の構成から種々の修正及び変更を施した遊技機も、本発明の範囲に含まれる。
【符号の説明】
【０１１９】
１０    遊技盤
３０    枠部材（中枠）
４８    固着部（六角ナット）
５１，５７    凹凸部（摺動面，クリック突起部）
５２，５３    切欠き（切欠き）
５４，５５    スリーブ部（大径挿入部，小径挿入部）
５６    ロックユニット
５８    孔部の他端側開口部の縁部
５９    孔部
６０    係止溝部
６１    係合摘み部
６２，６３    円筒部材（大径部，小径部）
６３ｃ    当接面
６４    突出部
６５    露出開口（大径挿通部）
７１    軸部材
７１ｂ    軸部材の他端部
７１ｃ    軸部材の一端部
７２    係合突起
７４    孔部の一端側開口部の縁部
７６    付勢部材（圧縮ばね）
７８，８０    第１突起
７９，８１    第２突起
８２    引掛り部
Ｂａ    遊技球
ＰＡ    遊技領域
ＰＭ    遊技機（パチンコ機）
４０ａ，４０ｂ    ロック部材
５６ａ，５６ａ    ロックユニット（兼用ロックユニット）
９１    係合摘み部
６２ａ  円筒部材
９１    係合摘み部
９２    回り止め部
９３    肩リブ
９５    操作部
９６ａ    第１の誘い込み用空間部
９６ｂ    第２の誘い込み用空間部
９７    突部
９８    凹部
３０ｂ    空間部
３０ｃ，３０ｄ    リブ
９９    装着補助部
ＰＭ２    遊技機（パチンコ機）
【図１】
0005424501.tif 000002
【図２】
0005424501.tif 000003
【図３】
0005424501.tif 000004
【図４】
0005424501.tif 000005
【図５】
0005424501.tif 000006
【図６】
0005424501.tif 000007
【図７】
0005424501.tif 000008
【図８】
0005424501.tif 000009
【図９】
0005424501.tif 000010
【図１１】
0005424501.tif 000011
【図１２】
0005424501.tif 000012
【図１３】
0005424501.tif 000013
【図１４】
0005424501.tif 000014
【図１５】
0005424501.tif 000015
【図１６】
0005424501.tif 000016
【図１７】
0005424501.tif 000017
【図１８】
0005424501.tif 000018
【図１９】
0005424501.tif 000019
【図２０】
0005424501.tif 000020
【図２１】
0005424501.tif 000021
【図２２】
0005424501.tif 000022
【図２３】
0005424501.tif 000023
【図２４】
0005424501.tif 000024
【図２５】
0005424501.tif 000025
【図２６】
0005424501.tif 000026
【図２７】
0005424501.tif 000027
【図２８】
0005424501.tif 000028
【図２９】
0005424501.tif 000029
【図３０】
0005424501.tif 000030
【図３１】
0005424501.tif 000031
【図３２】
0005424501.tif 000032
【図３３】
0005424501.tif 000033
【図３４】
0005424501.tif 000034
【図３５】
0005424501.tif 000035
【図１０】
0005424501.tif 000036